(57)【要約】【課題】１枚の折り畳み可能なシート１の折り方を変えることで２種類の深さの異なる袋状入れを備えた名刺機能を有する物入れを提供可能としている。【解決手段】シート１には折目２、３と折目４、５とを直交させて折目２、３、４、５により囲まれた名刺載置面６を設けている。折目２の外方には第１の側面７を、折目３の外方には第２の側面８を、折目４の外方には第１の側片９を、折目５の外方には第２の側片１０を設けている。第１の側面７を折目２より名刺載置面６の裏面側に折り畳み、第２の側面８を折目３をより名刺載置面６の裏面側に折り畳む。第１の側片９と第２の側片１０に名刺挟持片１１を重合した状態で、第１の側片９と第２の側片１０を名刺挟持片１１と共に名刺載置面６の表面側に折り返し、名刺挟持片１１と名刺載置面６との間に名刺１２の角部を差し込んで名刺１２を名刺載置面６上に安定的に載置する。【選択図】図７
2010202278.tif 000002
【特許請求の範囲】
【請求項１】
名刺を添付した状態で手渡すことが可能な名刺機能を有する物入れであって、
折り畳み可能な１枚のシートに、上下方向に離隔し且つ平行な位置関係を有して左右方向に延びる折目と、該左右方向に延びる折目と直交し且つ左右方向に離隔して平行な位置関係を有して上下方向に延びる折目とにより囲まれた名刺大の矩形状名刺載置面を設け、
前記左右方向に延びる折目の外方には第１の側面と第２の側面設け、
前記上下方向に延びる折目の外方には第１の側片と第２の側片を設け、
前記第１の側面、第２の側面と、第１の側片、第２の側片との間には前記折目を介して名刺挟持片を連続して設け、
前記名刺載置面の裏面側に前記第１の側面と第２の側面を前記左右方向に延びる折目より折り畳み、前記第１の側片と第２の側片を前記上下方向に延びる折目より名刺載置面の表面側に折り返し、名刺載置面の裏面側に第１の側面又は／及び第２の側面の外端縁を開口とする袋状の物入れを形成し、
平面方向から名刺の一部が視認可能に、折り返されて名刺載置面表面に重合した第１の側片と第２の側片と前記名刺挟持片との間に名刺の角部を挿し入れて構成したことを特徴とする名刺機能を有する物入れ。
【請求項２】
折り畳み可能な１枚のシートからなる名刺機能を有する物入れであって、
表面に文字や図形を印刷された名刺としての機能を有する名刺面の一端縁を山折り折目とし、該山折り折目を介して前記名刺面と同一形状の重合面を連設し、
該重合面の周縁のうち名刺面を連設した端縁と対向する位置に谷折りの折目を介してカバー面を連設し、
前記重合面の周縁のうち前記名刺面及びカバー面と連設されていない端縁は山折りの折目を介して側片を連設し、
該側片と前記カバー面との間には谷折りの折目を介して挟持片を連設し、
前記名刺面を山折りの折目より重合面に折り畳んで重合し、前記カバー面を谷折りの折目より折り返し、前記挟持片を前記側片に重合した状態で前記挟持片及び側片を前記重合面の裏面側に折り畳み、前記重合面の表面側に前記カバー面の外端縁を開口とする袋状の物入れを形成し、
平面方向から前記名刺面の一部が視認可能に、前記重合面の裏面側に折畳まれた前記側片と前記挟持片との間に前記名刺面の外端角部を挿し入れて構成したことを特徴とする名刺機能を有する物入れ。
【請求項３】
折り畳み可能な１枚のシートからなる名刺機能を有する物入れであって、
表面に文字や図形を印刷された名刺としての機能を有する名刺面の一端縁を山折りの折目とし、該山折りの折目を介して前記名刺面と同一形状の重合面を連設し、
該重合面の周縁のうち名刺面を連設した端縁と対向する位置に谷折りの折目を介してカバー面を連設し、
前記重合面の周縁のうち前記名刺面及び前記カバー面と連設されていない端縁は山折りの折目を介して側片を連設し、
該側片と前記カバー面との間には谷折りの折目を介して差込片を連設し、該差込片には名刺角部を差し込み可能な差込口を具備し、
前記名刺面を山折りの折目より重合面に折り畳んで重合し、前記カバー面を谷折りの折目より折り返し、前記差込片を前記側片に重合した状態で前記差込片及び側片を前記重合面の裏面側に折り畳み、前記重合面の表面側にカバー面の外端縁を開口とする袋状の物入れを形成し、
平面方向から前記名刺面の一部が視認可能に、前記重合面の裏面側に折り返された前記差込片の前記差込口に前記名刺面の外端角部を挿し入れて構成したことを特徴とする名刺機能を有する物入れ。
【請求項４】
折り畳み可能な１枚のシートからなる名刺機能を有する物入れであって、
シートには、２本の左右方向に所定距離を有して平行に離隔し且つ上下方向に延びる折目と、該上下方向に延びる折目と直交し且つ２本の上下方向に平行に離隔され左右方向に延びる折目を設け、
前記上下方向に延びる１対の折目の内側に左右方向に延びる折目により区分けされた３面を上下方向に設け、上下方向に延びる折目の外方には左右方向に延びる折目により区分けされた側片を設け、
前記３面のうち、中央に位置する面は名刺大の重合面とし、該重合面と山折りの折目を介して名刺角部差込口を具備した名刺大の名刺取着面を連設し、重合面の名刺取着面側と反対側には谷折りの折目を介してカバー面を連設し、
前記名刺取着面の下端縁は山折りの折目に形成され、該山折りの折目を介してフラップ片を連設し、
前記重合面の表面側に谷折りの折目より前記カバー面を折り返して重合し、側片を重合面及び名刺取着面の裏面側に折り畳み、該カバー面と前記重合面とでカバー面の端縁を開口縁とする袋状の物入れを形成し、
前記名刺取着面は山折りの折目より前記重合面に折り畳み、前記フラップ片を前記重合面裏面側と前記側片との間に差し入れ、
平面方向から名刺の一部が視認可能に、前記名刺角部差込口に名刺の角部を挿し入れて構成したことを特徴とする名刺機能を有する物入れ。
【請求項５】
折り畳み可能な１枚のシートからなる名刺機能を有する物入れであって、
シートには、２本の左右方向に所定距離を有して平行に離隔し且つ上下方向に延びる折目と、該上下方向に延びる折目と直交し且つ２本の上下方向に平行に離隔され左右方向に延びる折目を設け、
前記上下方向に延びる１対の折目の内側に左右方向に延びる折目により区分けされた３面を上下方向に設け、上下方向に延びる折目の外方には左右方向に延びる折目により区分けされた側片を設け、
前記３面のうち、中央に位置する面は名刺大の重合面とし、該重合面と折目を介して表面に文字や図形を印刷された名刺としての機能を有する名刺面を連設し、前記重合面の名刺面取り付け側とは反対側の端縁には折目を介してカバー面を連設し、
前記名刺取着面の下端縁は山折りの折目に形成され、該山折り折目を介してフラップ片を連設し、
前記重合面の表面側に谷折りの折目より前記カバー面を折り返して重合し、側片を重合面及び名刺面の裏面側に折り畳んで重合し、該カバー面と前記重合面とで袋状の物入れを形成し、
前記名刺面は山折りの折目より前記重合面に折り畳み、前記フラップ片を前記重合面裏面側と前記側片との間に差し入れ、
平面方向から名刺面の全部が視認可能に構成したことを特徴とする名刺機能を有する物入れ。
【発明の詳細な説明】
【技術分野】
【０００１】  本発明は１枚のシートを名刺大に折り畳み、名刺機能と小物収納機能を併せもたせた名刺機能を有する物入れに関し、更に詳しくは脂取り紙やマッチ等の小物を添付した状態で名刺を差し出すことを可能にした名刺機能を有する物入れに関する。
【背景技術】
【０００２】  名刺に商品を添付して差し出し可能なものとして、紙、アルミニウム薄片等よりなるパック本体の表面側に透明なフィルムシートを左右両側部及び下端縁を熱融着して袋部を形成し、パック本体とフィルムシートとの間に設けた袋部に名刺を差し入れるようにした名刺袋付商品パックが提案されている（特許文献１参照）。
上記特許文献１に記載の名刺袋付商品パックであると、名刺を透明フィルムシートの下方に配設するため、名刺を差し出した場合に名刺を受け取る者に名刺の全面が視認可能であるという長所がある。しかしながら、原料に紙等の他に合成樹脂製フィルムシートを必要としコスト高となり、又、廃棄処理の際に分別が面倒であり石油資源の枯渇化の観点より好ましくない。さらに、製造工程に於いても熱融着工程を必要とし、製造工程の複雑化を招来していたという問題点があった。
又、接着剤塗着部及び剥離紙を具備した透明な袋体内に名刺を収納する名刺収容体が提案されている（例えば、特許文献２参照）。
特許文献２に記載の名刺収容体であると、マッチや脂取り紙を名刺と共に透明な袋体内に収納した状態で差し出すことができるが、袋体内で名刺やマッチが雑然とし名刺が主となるものとは受け取る者に認識されにくいという問題点があった。
名刺機能を有する印刷物として、表面に会社案内等を印刷した表示面を有したシートを、平面形状を名刺大の大きさになるように折り畳み積層し、該積層物の長さ方向端縁に折目を介して開口窓及びフラップ部を有する蓋部を連設し、積層体の最上層に名刺の一部が開口窓より視認可能に名刺を載置し、フラップ部を積層物の最下層の下面に折り返したものが提案されている（例えば、特許文献３又は４参照）。
特許文献３又は特許文献４に記載の考案であると、マッチ等の小物を添付することができないという問題点があった。
【特許文献１】実開平２−２３３４７号公報
【特許文献２】実開平５−４２１６９号公報
【特許文献３】実用新案登録第３１２１１４８号の登録実用新案公報
【特許文献４】実用新案登録第３１２１１４９号の登録実用新案公報
【発明の開示】
【発明が解決しようとする課題】
【０００３】  本願発明は上記従来技術の有する問題点に鑑みて創案されたものであって、折り畳み可能な１枚のシートをベースにすることで低コスト化を図ると共に、簡単な構造にすることで製造効率の向上を図り得る名刺機能を有する物入れを提供することを目的とする。
【課題を解決するための手段】
【０００４】  本願発明のうち請求項１に記載の発明は、名刺を添付した状態で手渡すことが可能な名刺機能を有する物入れであって、折り畳み可能な１枚のシートに、上下方向に離隔し且つ平行な位置関係を有して左右方向に延びる折目と、該左右方向に延びる折目と直交し且つ左右方向に離隔して平行な位置関係を有して上下方向に延びる折目とにより囲まれた名刺大の矩形状名刺載置面を設け、前記左右方向に延びる折目の外方には第１の側面と第２の側面設け、前記上下方向に延びる折目の外方には第１の側片と第２の側片を設け、前記第１の側面、第２の側面と、第１の側片、第２の側片との間には前記折目を介して名刺挟持片を連続して設け、前記名刺載置面の裏面側に前記第１の側面と第２の側面を前記左右方向に延びる折目より折り畳み、前記第１の側片と第２の側片を前記上下方向に延びる折目より名刺載置面の表面側に折り返し、名刺載置面の裏面側に第１の側面又は／及び第２の側面の外端縁を開口とする袋状の物入れを形成し、平面方向から名刺の一部が視認可能に、折り返されて名刺載置面表面に重合した第１の側片と第２の側片と前記名刺挟持片との間に名刺の角部を挿し入れて構成したことを特徴とする。
請求項２に記載の発明は、折り畳み可能な１枚のシートからなる名刺機能を有する物入れであって、表面に文字や図形を印刷された名刺としての機能を有する名刺面の一端縁を山折り折目とし、該山折り折目を介して前記名刺面と同一形状の重合面を連設し、該重合面の周縁のうち名刺面を連設した端縁と対向する位置に谷折りの折目を介してカバー面を連設し、前記重合面の周縁のうち前記名刺面及びカバー面と連設されていない端縁は山折りの折目を介して側片を連設し、該側片と前記カバー面との間には谷折りの折目を介して挟持片を連設し、前記名刺面を山折りの折目より重合面に折り畳んで重合し、前記カバー面を谷折りの折目より折り返し、前記挟持片を前記側片に重合した状態で前記挟持片及び側片を前記重合面の裏面側に折り畳み、前記重合面の表面側に前記カバー面の外端縁を開口とする袋状の物入れを形成し、平面方向から前記名刺面の一部が視認可能に、前記重合面の裏面側に折畳まれた前記側片と前記挟持片との間に前記名刺面の外端角部を挿し入れて構成したことを特徴とする。
請求項３に記載の発明は、折り畳み可能な１枚のシートからなる名刺機能を有する物入れであって、表面に文字や図形を印刷された名刺としての機能を有する名刺面の一端縁を山折りの折目とし、該山折りの折目を介して前記名刺面と同一形状の重合面を連設し、該重合面の周縁のうち名刺面を連設した端縁と対向する位置に谷折りの折目を介してカバー面を連設し、前記重合面の周縁のうち前記名刺面及び前記カバー面と連設されていない端縁は山折りの折目を介して側片を連設し、該側片と前記カバー面との間には谷折りの折目を介して差込片を連設し、該差込片には名刺角部を差し込み可能な差込口を具備し、前記名刺面を山折りの折目より重合面に折り畳んで重合し、前記カバー面を谷折りの折目より折り返し、前記差込片を前記側片に重合した状態で前記差込片及び側片を前記重合面の裏面側に折り畳み、前記重合面の表面側にカバー面の外端縁を開口とする袋状の物入れを形成し、平面方向から前記名刺面の一部が視認可能に、前記重合面の裏面側に折り返された前記差込片の前記差込口に前記名刺面の外端角部を挿し入れて構成したことを特徴とする。
請求項４に記載の発明は、折り畳み可能な１枚のシートからなる名刺機能を有する物入れであって、シートには、２本の左右方向に所定距離を有して平行に離隔し且つ上下方向に延びる折目と、該上下方向に延びる折目と直交し且つ２本の上下方向に平行に離隔され左右方向に延びる折目を設け、前記上下方向に延びる１対の折目の内側に左右方向に延びる折目により区分けされた３面を上下方向に設け、上下方向に延びる折目の外方には左右方向に延びる折目により区分けされた側片を設け、前記３面のうち、中央に位置する面は名刺大の重合面とし、該重合面と山折りの折目を介して名刺角部差込口を具備した名刺大の名刺取着面を連設し、重合面の名刺取着面側と反対側には谷折りの折目を介してカバー面を連設し、前記名刺取着面の下端縁は山折りの折目に形成され、該山折りの折目を介してフラップ片を連設し、前記重合面の表面側に谷折りの折目より前記カバー面を折り返して重合し、側片を重合面及び名刺取着面の裏面側に折り畳み、該カバー面と前記重合面とでカバー面の端縁を開口縁とする袋状の物入れを形成し、前記名刺取着面は山折りの折目より前記重合面に折り畳み、前記フラップ片を前記重合面裏面側と前記側片との間に差し入れ、平面方向から名刺の一部が視認可能に、前記名刺角部差込口に名刺の角部を挿し入れて構成したことを特徴とする。
請求項５に記載の発明は、折り畳み可能な１枚のシートからなる名刺機能を有する物入れであって、シートには、２本の左右方向に所定距離を有して平行に離隔し且つ上下方向に延びる折目と、該上下方向に延びる折目と直交し且つ２本の上下方向に平行に離隔され左右方向に延びる折目を設け、前記上下方向に延びる１対の折目の内側に左右方向に延びる折目により区分けされた３面を上下方向に設け、上下方向に延びる折目の外方には左右方向に延びる折目により区分けされた側片を設け、前記３面のうち、中央に位置する面は名刺大の重合面とし、該重合面と折目を介して表面に文字や図形を印刷された名刺としての機能を有する名刺面を連設し、前記重合面の名刺面取り付け側とは反対側の端縁には折目を介してカバー面を連設し、前記名刺取着面の下端縁は山折りの折目に形成され、該山折り折目を介してフラップ片を連設し、前記重合面の表面側に谷折りの折目より前記カバー面を折り返して重合し、側片を重合面及び名刺面の裏面側に折り畳んで重合し、該カバー面と前記重合面とで袋状の物入れを形成し、前記名刺面は山折りの折目より前記重合面に折り畳み、前記フラップ片を前記重合面裏面側と前記側片との間に差し入れ、平面方向から名刺面の全部が視認可能に構成したことを特徴とする。
【発明の効果】
【０００５】  本願発明は、１枚のシートを折り畳むという簡単な方法で名刺機能を有する物入れを得ることができるため、低コスト化を図り得るという効果がある。
本願発明は、折り畳んだ平面形状が名刺大でありコンパクトであるため名刺受取人は嵩張らず携帯に不便を感じにくい。又、マッチや脂取り紙等の小物は名刺側からは存在が確認されないので、名刺受取人は先ずは名刺に注目し、その後に名刺の反対側を見て小物の存在に気が付くため、名刺を長期間保有する可能性が高く、名刺に記載された氏名、職業が名刺受取人の記憶に残りやすいという効果がある。
本願発明は、男性専用の娯楽施設で配布しても小物に主婦や子供の好む日用品、例えば脂取り紙、紙おしろい、爪楊枝、テッシュペーパー、人気キャラクターのシールや面子を用いれば男性も安心して家庭に名刺を持ち帰ることができ、店名や電話番号を名刺から即座に知ることができ、次回にその娯楽施設を訪問する際に便利であるという効果がある。
【発明を実施するための最良の形態】
【０００６】  折り畳み可能な１枚のシートをベースにすることで低コスト化を図り、名刺面とは反対側に小物を収納する袋状物入れを設けることで平面形状が名刺大であるにも拘らず小物を収納する袋体の確保を実現した。
【実施例１】
【０００７】  図１から図６に示される実施例１について説明する。図１は名刺機能を有する物入れの一実施例における展開図、図２は第１のカバー面と第２のカバー面を山折り折目より折り畳んだ状態を示す表面図、図３は名刺機能を有する物入れの第１側片、第２の側片と夫々の挟持片との間に名刺角部を差込む状態を示す説明図、第４図は名刺機能を有する物入れの表面図、第５図は名刺機能を有する物入れの裏面図、第６図は図４のＡ−Ａ線断面図である。
これらの図において、シート１は折り畳み可能な紙等よりなる。図１に示すように、シート１には、上下方向に平行に離隔された左右方向に延びる折目２、３と、折目２、３と直交し左右方向に平行に離隔され上下方向に延びる折目４、５とを設けている。折目２、３と折目４、５に囲まれた内側部分は、矩形状の名刺大の名刺載置面６を設けている。名刺載置面６には詩、宣伝的表現、ホームページアドレス、３次元バーコード等を表示する。名刺載置面６の折目２の外方には第１の側面７を山折り折目２を介して連設し、折目３の外方には第２の側面８を折目３を介して連設されている。名刺載置面６の折目４の外方には第１の側片９を、折目５の外方には第２の側片１０を折目５を介して連設している。左右方向に延びる折目２、３と上下方向に延びる折目４、５の交差部外方であって、第１、２の側面７、８の外端角部と第１、第２の側片９、１０の角部との間には名刺挟持片１１が折目２、３、４、５を介して第１、２の側面７、８と第１、第２の側片９、１０と連設されている。名刺挟持片１１は、平視直角三角形状に形成され、内側にレース状のくり抜き模様が形成されているが、本願発明はこれに限定しない。名刺挟持片１１は名刺角部係止作用を有すれば足り、名刺挟持片１１の形状は任意である。
次に、実施例１に於ける名刺機能を有する物入れの製造方法について説明する。図１に示す展開したシート１の折目２、３を山折りして、図２に示すように第１の側面７と第２の側面８を名刺載置面６の裏面側に折り畳んで重合し、第１の側片と第２の側片の裏面側に名刺挟持片１１を折り畳む。次に、図３に示すように、折目４、５を谷折りして第１の側片、第２の側片及び名刺挟持片１１を表面側に折り返し、表面側にて名刺１２の４箇所の角部を第１の側片、第２の側片と名刺挟持片１１の間に差し込む。
名刺載置面６の裏面側には第１の側面７の端縁と第２の側面８の端縁を開口とする袋状の物入れが形成され、この袋状の物入れ内にマッチや脂取り紙、面子等の所望の小物を収納して他人に差し出して使用するものである。名刺載置面６から名刺１２を外すと、名刺載置面６に詩やバーコード、インターネットのホームページアドレス等が表示されていて、名刺１２に記載の人との関連を知ることができ、便利である。
【実施例２】
【０００８】  図７〜図１４に示される実施例２について説明する。説明を簡単にするために、前述の図１から図６と同様の作用をなす部分は同一符号を用いて説明する。図１〜図６と異なる点は、名刺載置面６を上下方向を長辺にし、左右方向を短辺にしたこと、及び名刺挟持片１１の形状を外側を切り欠いてＬ字形にした点である。
本実施例では、１枚のシート１で２通りの名刺機能を有する物入れを構築することができる。先ず第１の名刺機能を有する物入れを図７〜図１０を参照にして説明する。図８に示すように、第１の側面７を折目２を山折りして名刺載置面６の裏面側に折り畳み、第２の側面８を折目３を山折りして名刺載置面６の裏面側に折り畳む。次に、図９に示すように、第１の側片９と第２の側片１０に名刺挟持片１１を重合した状態で、第１の側片９と第２の側片１０を名刺挟持片１１と共に名刺載置面６の表面側に折り返し、名刺挟持片１１と名刺載置面６との間に名刺１２の角部を差し込んで名刺１２を名刺載置面６上に安定的に載置する。名刺１２は名刺挟持片１１により平面から見て一部が受け取り手側に視認される。図１０に示すように、名刺載置面６の裏面側には第２の側片８で上下方向に深い袋状の物入れを形成し、妻楊技等の長い小物を収納可能である。
第２の名刺機能を有する物入れを図１１〜図１４を参照にして説明する。図１２に示すように、第１の側片９と第２の側片１０を名刺挟持片１１と共に折目４、５を山折りして名刺載置面６の裏面側に折り畳む。次に、第１の側面７を重合する名刺挟持片１１と共に名刺載置面６の表面側に折り返し、第２の側面８を重合する名刺挟持片１１と共に名刺載置面６の表面側に折り返し、図１３に示すように第１の側面７と重合する名刺挟持片１１の間と、第２の側面８と重合する名刺挟持片１１の間に名刺１２の角部を夫々差し込んで名刺１２を名刺載置面６の表面上に安定的に載置する。名刺載置面６の裏面側は図１４に示すように第１の側片９と第２の側片１０で浅い袋状物入れを形成する。
実施例２の名刺機能を有する物入れは、１枚のシート１で折る順序を側片から側面にすることで横書きの名刺を添付した浅い袋状物入れを、側面から側片にすることで縦書きの名刺を添付した底の深い袋状の物入れを形成することができる。
【実施例３】
【０００９】  図１５及び図１６に示される実施例３について説明する。説明を簡単にするために、前述の図１から図６と同様の作用をなす部分は同一符号を用いて説明する。前述の実施例１と異なる点は、名刺載置面の４隅に設けられた名刺挟持片１１がくり抜き模様のない直角三角形状であることと、第１のカバー面７と第２のカバー面８の外端縁が当接している点である。名刺載置面の裏面側と、第１のカバー面７と第２のカバー面８との間にティシュペーパー１３を収納し、第１のカバー面７と第２のカバー面８との対向端縁間の隙間からティシュペーパー１３を取り出し可能にしている。
【実施例４】
【００１０】  図１７から図２０に示される実施例４について説明する。前述の実施例１と異なる点は、第２のカバー片８に折目１４を介して折り返し片１５を連設している点である。折り返し片１５は第２のカバー体８により形成される袋状物入れの開口部の装飾及び強度目的で設けている。
【実施例５】
【００１１】  図２１から図２４に示される実施例５について説明する。名刺機能を有する物入れは１枚の折り畳み可能なシート１６からなる。名刺面１７は、表面に文字や図形を印刷され名刺として必要な事項が表示されている。名刺面１７は山折りの折目１８を介して名刺面１７と同一平面形状の重合面１９を隣り合わせで連設している。重合面１９には名刺面１７連設側と反対側にカバー面２０を谷折りの折目２１を介して連設している。重合面１９の山折りの折目２２、２２を介して外方に側片２３、２３を連設している。カバー面２０の左右側縁は谷折りの折目２４に形成され、谷折りの折目２４と谷折りの折目２１との交差部より外方には挟持片２５を連設している。
次に、実施例５の名刺機能を有する物入れの製造方法について説明する。重合面１９の裏面側に名刺面１７を折目１８を山折りして折り畳み、次にカバー面２０を折目２１を谷折りして重合面１９の表面側に折り返して重合する。側片２３、２３に挟持片２５、２５を夫々重合した状態下で、側片２３、２３及び挟持片２５、２５を重合面１９の裏面側に折目２２より折り畳む。重合面１９の裏面側に於いて、側片２３、２３と挟持片２５、２５と間に名刺面１７の外端角部を夫々差し込む。重合面１９の表面とカバー面２０とで小物を収納可能な袋状の物入れが形成されている。
予め、シート１６に印刷された名刺面１７を有しているので通常の名刺が不要であるという効果がある。
【実施例６】
【００１２】  図２５から図２９に示される実施例６について説明する。説明を簡単にするために、前述の図２１から図２４と同様の作用をなす部分は同一符号を用いて説明する。前述の図２１から図２４に示される実施例５と異なる点は、名刺面１７を縦長形状にし、名紙面１７に対応させて重合面１９を名刺面１７と同大の縦長形状にしたこと、及びカバー面２０の折り目２４の外方には差込片２６を折目２４を介して連設している点である。差込片２６には名刺の角部を差し込み可能な切り込みよりなる差込口２７を設けている。
次に、製造方法について説明する。図２６に示すように、カバー面２０を折目２１により折り返し、重合面１９の表面側に重合し、且つ折目２４を折目２２に重合する。次に、図２７に示すように、カバー面２０を重合面１９に重合した状態で、折目２２と折目２４により側片２３と差込片２６を重合面１９の裏面側に折り畳み、さらに折目１８により名刺面１７を重合面１９の裏面側に折り畳む。図２８に示すように、重合面１９の裏面側に折り畳まれた差込片２７の差込口２６に名刺面１７の外端角部を夫々差し込む。図２９に示すように、重合面１９の表面側にはカバー面２０の端縁を開口とする袋状の物入れが形成される。
【実施例７】
【００１３】  図３０〜図３４に示される実施例７について説明する。シート２８は折り畳み可能な材料、例えば紙等よりなる。図３０に示すように、シート２８には、上下方向に平行に離隔された左右方向に延びる折目２９、３０と、折目２９、３０と交差し且つ左右方向に平行に離隔され上下方向に延びる折目３１、３２とを設けている。折目２９、３０と折目３１、３２が交差して中央に位置する重合面３３と、重合面３３と折目２９を介して隣り合う名刺取着面３４は、同一平面形状に形成されている。カバー面３５の上下幅は、重合面３３３の上下幅よりも短く形成され、谷折り折目３０を介して重合面３３と連設されている。折目３１、３２の外方には、折目３０、２９で区分けされる側片３６、３７、３８を連続して設けている。名刺取着面３４には切り込みを設けて名刺１２の角部を差し込むための差込口３９となしている。名刺取着面３４には山折りの折目４０を介してフラップ片４１を連設している。
次に、実施例７に係る名刺機能を有する物入れの製造方法について説明する。図３１に示すように、カバー面３５を折目３０を谷折りして重合面３３の表面に重合後、折目３１、３２により側片３６、３７、３８を重合面３３の裏面側に折り畳む。次に、図３２に示すように折目２９を山折りして、名刺取着面３４を重合面３３の裏面側に折り畳み、フラップ片４１を重合面３３の裏面と側片３７の裏面との間に差し込む。図３３に示すように、名刺１２の角部を差込口３９に夫々差し込んで、名刺１２を名刺取着面３４に載置する。図３４に示すように、重合面３３の表面にはカバー面３５の端縁を開口縁とする袋状の物入れが形成されている。
【実施例８】
【００１４】  図３５〜図３８に示される実施例８について説明する。シート４２には、上下方向に平行に離隔された左右方向に延びる折目４３、４４と、折目４３、４４と交差し且つ左右方向に平行に離隔され上下方向に延びる折目４５、４６とを設けている。重合面４７と折目４４を介して隣り合う名刺面４８は、同一平面形状に形成されている。名刺面４８には、氏名等が印刷表示されている。カバー面４９の上下幅は、重合面４７の上下幅よりも短く形成され、折目４３を介して重合面４７と連設されている。折目４５、４６の外方には、折目４３、４４で区分けされる側片５０、５１、５２を連設している。名刺面４８には山折りの折目５３を介してフラップ片５４を連設している。
次に、製造方法について説明する。カバー面４９を折目４３を谷折りして重合面４７の表面に重合後、折目４５、４６を山折りすることにより側片５０、５１、５２を重合面４７の裏面側に折り畳む。次に、図３６に示すように折目４４を山折りして、名刺面４８を重合面４７の裏面側に折り畳み、フラップ片５４を重合面４７の裏面と側片５１の裏面との間に差し込む。図３８に示すようにカバー面４９と重合面４７とで形成された底深い袋状物入れには妻楊枝等の長い小物を収納可能である。
【実施例９】
【００１５】  図３９〜図４３に示される実施例９について説明する。説明を簡単にするために、前述の図３５から図３８と同様の作用をなす部分は同一符号を用いて説明する。上下方向に延びる折目４５、４６と折目４５、４６と直交して左右方向に延びる折目４３、４４とに囲まれた面を重合面４７とし、重合面４７と折目４４を介して横長な名刺面４８を連設している。重合面４７と名刺面４８は同一平面形状に形成されている。また、重合面４７は、折目４３を介してカバー面４９と連設されている。シート４２のうち折目４５、４６より外方には折目４３、４４により区分けされた側片５０、５１、５２が折目４３、４４を介して連設されている。名刺面４８には、折目５３を介してフラップ片５４が連設されている。
そして、図４０に示すように、折目４３を谷折りすることでカバー面４９及び側片５０を重合面４７及び側片５１の表面側に折り返した状態で、側片５０、５１，５２を折り目４５、４６を山折りして重合面４７の裏面側に折り畳む。次に、図４１に示すように、折目４４を山折りして名刺面４８を重合面４７の裏面側に折り畳み、折目５３を山折りしフラップ片５４を重合面４７の裏面と側片５１の裏面との間に差し入れて名刺面４８を重合面４７から浮き上がらないようにして形成する。
【産業上の利用可能性】
【００１６】  名刺を携帯用カレンダー、ポイントカード、誕生カードにしたり、名刺面にカレンダーや表を印刷することで携帯用のカレンダーやポイントカード、或は花屋用のメッセージカードとしての用途にも適用できる。
【図面の簡単な説明】
【００１７】
【図１】名刺機能を有する物入れにおける展開図である。（実施例１）
【図２】第１のカバー面と第２のカバー面を山折り折目より折り畳んだ状態を示す表面図である。（実施例１）
【図３】名刺機能を有する物入れの第１側片、第２の側片と夫々の挟持片との間に名刺角部を差込む状態を示す説明図である。（実施例１）
【図４】名刺機能を有する物入れの表面図である。（実施例１）
【図５】名刺機能を有する物入れの裏面図である。（実施例１）
【図６】図４のＡ−Ａ線断面図である。（実施例１）
【図７】名刺機能を有する物入れにおける展開図である。（実施例２）
【図８】第１の側面と第２の側面を名刺載置面の裏面側に折り畳んだ状態を示す表面図である。（実施例２）
【図９】名刺機能を有する物入れの表面図である。（実施例２）
【図１０】名刺機能を有する物入れの裏面図である。（実施例２）
【図１１】名刺機能を有する物入れにおける展開図である。（実施例２）
【図１２】第１の側片と第２の側片を名刺載置面の裏面側に折り畳んだ状態を示す表面図である。（実施例２）
【図１３】名刺機能を有する物入れの表面図である。（実施例２）
【図１４】名刺機能を有する物入れの裏面図である。（実施例２）
【図１５】名刺機能を有する物入れの表面図である。（実施例３）
【図１６】名刺機能を有する物入れの一部切欠裏面図である。（実施例３）
【図１７】名刺機能を有する物入れの表面図である。（実施例４）
【図１８】名刺機能を有する物入れの裏面図である。（実施例４）
【図１９】図１７のＢ−Ｂ線断面図である。（実施例４）
【図２０】名刺機能を有する物入れにおける展開図である。（実施例４）
【図２１】名刺機能を有する物入れの展開図である。（実施例５）
【図２２】名刺面の外端角部を側片と挟持片の間に差し込む状態を示す裏面斜視図である。（実施例５）
【図２３】名刺機能を有する物入れの裏面図である。（実施例５）
【図２４】名刺機能を有する物入れの表面図である。（実施例５）
【図２５】名刺機能を有する物入れにおける展開図である。（実施例６）
【図２６】カバー面を重合面の表面に折り畳んだ状態を示す説明図である。（実施例６）
【図２７】カバー面を重合面の表面に折り畳み、且つ側片に差込片を折り畳んだ状態で名刺面を重合面の裏面側に折り畳む状態を示す説明図である。（実施例６）
【図２８】名刺機能を有する物入れの裏面図である。（実施例６）
【図２９】名刺機能を有する物入れの表面図である。（実施例６）
【図３０】名刺機能を有する物入れの裏面図である。（実施例７）
【図３１】カバー面を重合面の表面に折り畳み、側片を名刺面と重合面の裏面側に折り畳んだ状態を示す説明図である。（実施例７）
【図３２】フラップ片を重合面の裏面と側片との間に差し込む状態を示す説明図である。（実施例７）
【図３３】名刺機能を有する物入れの表面図である。（実施例７）
【図３４】名刺機能を有する物入れの裏面図である。（実施例７）
【図３５】名刺機能を有する物入れにおける展開図である。（実施例８）
【図３６】カバー面を重合面の表面側に折り畳み、側片を名刺面と重合面の裏面側に折り畳み、名刺面を重合面の裏面側に折り畳む状態を示す説明図である。（実施例８）
【図３７】名刺機能を有する物入れの裏面図である。（実施例８）
【図３８】名刺機能を有する物入れの表面図である。（実施例８）
【図３９】名刺機能を有する物入れにおける展開図である。（実施例９）
【図４０】カバー面を重合面の表面側に折り畳み、側片を名刺面と重合面の裏面側に折り畳む状態を示す説明図である。（実施例９）
【図４１】名刺面を重合面の裏面側に折り畳む状態を示す説明図である。（実施例９）
【図４２】名刺機能を有する物入れの裏面図である。（実施例９）
【図４３】名刺機能を有する物入れの表面図である。（実施例９）
【符号の説明】
【００１８】  １、１６、２８、４２  シート
２、３、４、５、１４、１８、２１、２２、２４、２９、３０、３１、３２、４３、４４、４５、４６、５３  折目
６  名刺載置面
７  第１の側面
８  第２の側面
９  第１の側片
１０  第２の側片
１１  名刺挟持片
１２  名刺
１７、４２、４８  名刺面
１９、３３、４７  重合面
２０、３５、４９  カバー面
２３、３６、３７、３８、５０、５１、５２  側片
２５  挟持片
２６  差込片
２７、３９  差込口
３４  名刺取着面
４１、５４  フラップ片
【図１】
2010202278.tif 000003
【図２】
2010202278.tif 000004
【図３】
2010202278.tif 000005
【図４】
2010202278.tif 000006
【図５】
2010202278.tif 000007
【図６】
2010202278.tif 000008
【図７】
2010202278.tif 000009
【図８】
2010202278.tif 000010
【図９】
2010202278.tif 000011
【図１０】
2010202278.tif 000012
【図１１】
2010202278.tif 000013
【図１２】
2010202278.tif 000014
【図１３】
2010202278.tif 000015
【図１４】
2010202278.tif 000016
【図１５】
2010202278.tif 000017
【図１６】
2010202278.tif 000018
【図１７】
2010202278.tif 000019
【図１８】
2010202278.tif 000020
【図１９】
2010202278.tif 000021
【図２０】
2010202278.tif 000022
【図２１】
2010202278.tif 000023
【図２２】
2010202278.tif 000024
【図２３】
2010202278.tif 000025
【図２４】
2010202278.tif 000026
【図２５】
2010202278.tif 000027
【図２６】
2010202278.tif 000028
【図２７】
2010202278.tif 000029
【図２８】
2010202278.tif 000030
【図２９】
2010202278.tif 000031
【図３０】
2010202278.tif 000032
【図３１】
2010202278.tif 000033
【図３２】
2010202278.tif 000034
【図３３】
2010202278.tif 000035
【図３４】
2010202278.tif 000036
【図３５】
2010202278.tif 000037
【図３６】
2010202278.tif 000038
【図３７】
2010202278.tif 000039
【図３８】
2010202278.tif 000040
【図３９】
2010202278.tif 000041
【図４０】
2010202278.tif 000042
【図４１】
2010202278.tif 000043
【図４２】
2010202278.tif 000044
【図４３】
2010202278.tif 000045